(57)【要約】      （修正有）【課題】広範な場所に設置できるとともに、輸送や保管が容易となる防舷材を提供する。【解決手段】防舷材１００は、外装袋体１０１の内部にフェンダ本体１１０を備えている。外装袋体１０１は、塩化ビニル樹脂製のシート材を袋状に形成されており、液体状のウレタン樹脂原料を収容してフェンダ本体１０２を形作るととともに硬化した半硬質ウレタン発泡体からなるフェンダ本体を覆って保護する。外装袋体の袋端部１０１ａには、外装袋体内に液体状のウレタン樹脂原料を注入するための注入口および外装袋体内の空気を排気するための排気口１０４がそれぞれ形成されている。フェンダ本体１１０は、外装袋体内に液体状のウレタン樹脂原料が注入されることによって外装袋体の内側形状に沿う棒状に延びた形状に形成されている。【選択図】図１
0003214841.tif 000002
【実用新案登録請求の範囲】
【請求項１】
塩化ビニル樹脂製のシート材で構成した袋体に同袋体内に液状のウレタン樹脂原料を注入するための注入口および同液状のウレタン樹脂原料の注入時に前記袋体内から空気を排気するための排気口がそれぞれ形成された外装袋体と、
前記外装袋体内に前記注入口を介して前記液状のウレタン樹脂原料が充填されて固化した軟質または半硬質のウレタン発泡体からなるフェンダ本体とを備えることを特徴とする防舷材。
【請求項２】
請求項１に記載した防舷材において、
前記ウレタン発泡体は、
内部が連続気泡構造であることを特徴とする防舷材。
【請求項３】
請求項１または請求項２に記載した防舷材において、
前記外装袋体は、
前記液状のウレタン樹脂原料の注入後に前記注入口および前記排気口がそれぞれ塞がれていることを特徴とする防舷材。
【請求項４】
請求項１または請求項２に記載した防舷材において、
前記外装袋体は、
前記液状のウレタン樹脂原料の注入後においても前記注入口および前記排気口のうちの少なくとも一方を通じて前記外装袋体の内外で通気性が確保されていることを特徴とする防舷材。
【請求項５】
請求項４に記載した防舷材において、
前記外装袋体は、
前記注入口および前記排気口のうちの少なくとも一方が連続気泡構造で構成された前記ウレタン発泡体の一部によって塞がれていることを特徴とする防舷材。
【請求項６】
請求項１ないし請求項５のうちのいずれか１つに記載した防舷材において、
前記外装袋体は、
円筒体の両端部がそれぞれ半球状に形成されて塞がれた全体として棒状の形状に形成されていることを特徴とする防舷材。
【考案の詳細な説明】
【技術分野】
【０００１】
本考案は、船体を保護するために舷側や岸壁に取り付けられる防舷材に関する。
【背景技術】
【０００２】
従来から、係留される船の船体を保護して損傷を防止する防舷材がある。例えば、下記特許文献１には、発泡ウレタン製の円筒体の外周面を軟質の塩化ビニル製の外部被覆材で被覆するとともに同円筒体の内周部を硬質の塩化ビニル製の内部被覆材で被覆して係留杭に嵌合させる円筒状の防舷材が開示されている。
【先行技術文献】
【特許文献】
【０００３】
【特許文献１】実用新案登録第３１２５７６３号公報
【０００４】
しかしながら、上記特許文献１に記載した防舷材においては、設置場所が係留杭に限られており、船体や岸壁に設置して使用することができないという問題がある。また、上記従来の防舷材においては、一般的に工場で専用の製造設備を用いて完成品として製造されるため、防舷材の輸送や保管が煩雑であるという問題もあった。
【考案の概要】
【０００５】
本考案は上記問題に対処するためなされたもので、その目的は、広範な場所に設置できるとともに、輸送や保管が容易となる防舷材を提供することにある。
【０００６】
上記目的を達成するため、本考案の特徴は、塩化ビニル樹脂製のシート材で構成した袋体に同袋体内に液状のウレタン樹脂原料を注入するための注入口および同液状のウレタン樹脂原料の注入時に袋体内から空気を排気するための排気口がそれぞれ形成された外装袋体と、外装袋体内に注入口を介して液状のウレタン樹脂原料が充填されて固化した軟質または半硬質のウレタン発泡体からなるフェンダ本体とを備えることにある。この場合、排気口は、外装袋体におけるウレタン樹脂原料の注入側、換言すれば、注入口の近傍に形成するとよい。
【０００７】
このように構成した本考案の特徴によれば、防舷材は、塩化ビニル樹脂製のシート材を袋状に形成した外装袋体内に軟質または半硬質のウレタン発泡体で構成されたフェンダ本体を収容しているため、外装袋体を設置環境に応じた形状に形成しておくことで広範な場所に防舷材を設置することができる。この場合、防舷材は、外装袋体が袋状に形成されて実質的にフェンダ本体全体を包んでいるため、フェンダ本体の外装袋体からの漏出を防止することができるとともに、フェンダ本体の擦れによる損傷やフェンダ本体の水辺での使用による劣化を抑制できる。また、防舷材は、外装袋体がシート材によって構成されるとともにフェンダ本体が軟質または半硬質のウレタン発泡体で構成されているため、比較的自由に弾性変形させることができ、広範は場所に設置することができる。
【０００８】
さらに、防舷材は、外装袋体がシート材によって袋状に形成されるとともにフェンダ本体がウレタン発泡体で構成されているため、防舷材が必要な場所で必要な時に製作することができる。すなわち、防舷材の使用者は、外装袋体とウレタン樹脂原料とをそれぞれ別々に用意しておき、必要に応じて外装袋体内にウレタン樹脂原料を注入することによって防舷材を製作することができる。このため、防舷材は、輸送や保管を簡易にすることができる。
【０００９】
なお、軟質または半硬質の硬質ウレタン発泡体とは、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）など（以下、これらを「ウレタン材料等」という）と混合して泡化反応と樹脂化反応とを同時に行わせることによって得られる均質なプラスチック発泡体である。
【００１０】
また、本考案における軟質ウレタン発泡体は、発泡倍率が５倍以上かつ６０倍以下、または密度が１７ｋｇ／ｍ３以上かつ３００ｋｇ／ｍ３以下で構成されていることが好ましい。また、本考案における半硬質ウレタン発泡体は、発泡倍率が１０倍以上かつ３０倍以下、または密度が４０ｋｇ／ｍ３以上かつ８０ｋｇ／ｍ３以下で構成されていることが好ましい。なお、半硬質ウレタン発泡体は、所謂硬質ウレタン発泡体と軟質ウレタン発泡体との中間的な弾性的性質を有するものであり、軟質ウレタン発泡体と半硬質発泡体とを厳密に区別することは困難である。
【００１１】
また、本考案の他の特徴は、前記防舷材において、ウレタン発泡体は、内部が連続気泡構造であることにある。
【００１２】
このように構成した本考案の他の特徴によれば、防舷材は、ウレタン発泡体が連続気泡構造であるため、ウレタン発泡体を独立気泡構造で構成した場合に比べてより弾性変形させ易く、広範な場所に設置することができる。
【００１３】
また、本考案の他の特徴は、前記防舷材において、外装袋体は、液状のウレタン樹脂原料の注入後に注入口および排気口がそれぞれ塞がれていることにある。
【００１４】
このように構成した本考案の他の特徴によれば、防舷材は、外装袋体における注入口および排気口が塞がれているため、フェンダ本体を完全に包囲して保護できるとともに外装袋体内への異物や水分（海水や雨水など）の浸入を防止することができる。
【００１５】
また、本考案の他の特徴は、前記防舷材において、外装袋体は、液状のウレタン樹脂原料の注入後においても注入口および排気口のうちの少なくとも一方を通じて外装袋体の内外で通気性が確保されていることにある。
【００１６】
このように構成した本考案の他の特徴によれば、防舷材は、外装袋体における注入口および排気口のうちの少なくとも一方によって通気性が確保されているため、フェンダ本体が圧縮変形し易くなるとともに圧縮変形後においても速やかに元の形状に復帰することができ、フェンダ本体自身の損傷を防止して耐久性を向上させることができるとともに使用用途を広げることができる。
【００１７】
また、本考案の他の特徴は、前記防舷材において、外装袋体は、注入口および排気口のうちの少なくとも一方が連続気泡構造で構成されたウレタン発泡体の一部によって塞がれていることにある。
【００１８】
このように構成した本考案の他の特徴によれば、防舷材は、外装袋体における注入口および排気口のうちの少なくとも一方が連続気泡構造のウレタン発泡体の一部によって塞がれているため、ウレタン発泡体の通気性を確保しながら外装袋体への異物や水分（海水や雨水）の浸入を簡単に防止することができる。
【００１９】
また、本考案の他の特徴は、前記防舷材において、外装袋体は、円筒体の両端部がそれぞれ半球状に形成されて塞がれた全体として棒状の形状に形成されていることにある。
【００２０】
このように構成した本考案の他の特徴によれば、防舷材は、外装袋体が円筒体の両端部がそれぞれ半球形状に形成された全体として棒状の形状で構成されているため、船体や岸壁などの広範な場所にそのままの形状でまたは適宜弾性変形させた状態で汎用的に用いることができる。
【００２１】
また、本考案は防舷材の考案として実施できるばかりでなく、防舷材の製造方法の考案としても実施できるものである。
【００２２】
具体的には、防舷材の製造方法は、塩化ビニル樹脂製のシート材で構成した袋体に同袋体内に液状のウレタン樹脂原料を注入するための注入口および同液状のウレタン樹脂原料の注入時に袋体内から空気を排気するための排気口がそれぞれ形成された外装袋体を用意して、この外装袋体内に液状のウレタン樹脂を充填して固化させることによって半硬質または軟質のウレタン発泡体からなるフェンダ本体を成形するフェンダ本体成形工程を含むことにある。これによれば、上記防舷材と同様の作用効果を期待することができる。
【図面の簡単な説明】
【００２３】
【図１】本考案の一実施形態に係る防舷材の外観構成および内部構成の概略を示す一部破断正面図である。
【図２】図１に示す防舷材の外観構成の概略を示す平面図である。
【図３】図１示す防舷材を構成する外装袋体の内部構成の概略を示す断面図である。
【図４】本考案に係る防舷材の製造方法の工程を示した流れ図である。
【図５】本考案の変形例に係る防舷材の外観構成および内部構成の概略を示す一部破断正面図である。
【図６】本考案の他の変形例に係る防舷材の外観構成および内部構成の概略を示す一部破断正面図である。
【図７】本考案の他の変形例に係る防舷材を構成する外装袋体の内部構成の概略を示す断面図である。
【考案を実施するための形態】
【００２４】
以下、本考案に係る防舷材および同防舷材の製造方法の一実施形態について図面を参照しながら説明する。図１は、本考案に係る防舷材１００の外観構成および内部構成の概略を模式的に示す一部破断正面図である。また、図２は、本考案に係る防舷材の製造方法の工程を示した流れ図である。また、図３は、図１に示した防舷材１００における内側袋体に芯線および外側筒体を組み付けた状態を模式的に示す正面断面図である。なお、本明細書において参照する図は、本考案の理解を容易にするために一部の構成要素を誇張して表わすなど模式的に表している。このため、各構成要素間の寸法や比率などは異なっていることがある。この防舷材１００は、船体や岸壁に取り付けられて船体の損傷を防止して保護する器具である。
【００２５】
（防舷材１００の構成）
防舷材１００は、外装袋体１０１を備えている。外装袋体１０１は、液体状のウレタン樹脂原料を受け入れてフェンダ本体１１０を形作るととともに硬化したウレタン発泡体からなるフェンダ本体１１０を覆って保護する部品であり、塩化ビニル樹脂（ＰＶＣ）製のシート材を袋状に形成して構成されている。本実施形態においては、外装袋体１０１を構成するシート材は、厚さ２ｍｍで構成されている。
【００２６】
この外装袋体１０１は、円筒状に延びるとともにその両端部が球面状の袋端部１０１ａによってそれぞれ閉塞されている。外装袋体１０１における２つの袋端部１０１ａの外表面には、防舷材１００を船体や岸壁に繋ぐためのロープや金具が掛けられる連結具１０２がそれぞれ固着されている。
【００２７】
連結具１０２は、樹脂材や金属材によって構成されており、ロープを通したり金具が掛けられたりする貫通孔１０２ａが形成されている。また、２つの袋端部１０１ａのうちの一方（図示上側）の袋端部１０１ａには、連結具１０２の両側に注入口１０３および排気口１０４がそれぞれ２ずつ形成されている。
【００２８】
これらのうち、注入口１０３は、外装袋体１０１内に液体状のウレタン樹脂原料を注入するための貫通孔である。また、排気口１０４は、外装袋体１０１内に液体状のウレタン樹脂原料を注入する際に外装袋体１０１内の空気を外部に排気するための貫通孔である。この排気口１０４は、液体状のウレタン樹脂原料を注入する際に外装袋体１０１内の空気を外部に排気するための貫通孔であるため、外装袋体１０１におけるウレタン樹脂原料の注入側、すなわち、注入口１０３の近傍に設けられる。これらの注入口１０３および排気口１０４は、外装袋体１０１と同じ樹脂製のシート材からなる蓋１０５がそれぞれ接着固定されて塞がれている。なお、注入口１０３および排気口１０４は、外装袋体１０１に少なくとも１つずつ設けられていればよい。
【００２９】
フェンダ本体１１０は、船体と船体との間や船体と岸壁などとの間に配置されて船体の損傷を防止するための緩衝材であり、半硬質のウレタン発泡体で構成されている。ここで、ウレタン発泡体は、ウレタン樹脂原料、具体的には、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）などと混合して泡化反応と樹脂化反応とを同時に行わせることによって得られる均質な連続気泡のプラスチック発泡体である。また、本実施形態における半硬質ウレタン発泡体は、発泡倍率が１０倍以上３０倍以下、または密度が４０ｋｇ／ｍ３以上かつ８０ｋｇ／ｍ３以下で構成されていることが好ましい。したがって、本考案における半硬質ウレタン発泡体には、軟質ウレタンも含まれることがある。
【００３０】
このフェンダ本体１１０は、液体状のウレタン樹脂原料が外装袋体１０１内に注入されて固化することによって外装袋体１０１の内側形状に沿う棒状に延びた形状に形成されている。本実施形態においては、フェンダ本体１１０は、円柱状に延びるとともに両端部が略球面状に形成された長尺の棒状に形成されている。なお、図１、図５および図６においては、フェンダ本体１１０をドット群（点群）からなるハッチングによって示している。
【００３１】
（防舷材１００の製造）
次に、防舷材１００の製造過程について図２を参照しながら説明する。防舷材１００を製造する作業者は、図３に示すように、まず、第１工程として外装袋体１０１を製作する。具体的には、作業者は、２つの袋端部１０１ａ間の円筒部分を構成する平面視で長方形状のシート材と、２つの袋端部１０１ａを構成する平面視で円形状の２つのシート材とをそれぞれ用意して接着剤を用いて互いに繋ぎ合わせる。
【００３２】
この場合、外装袋体１０１における２つの袋端部１０１ａをそれぞれ構成する２つのシート材には、予め連結具１０２がそれぞれ接着剤などにより固着されている。また、２つの袋端部１０１ａをそれぞれ構成する２つのシート材のうちの一方には、それぞれ２つずつの注入口１０３および排気口１０４がそれぞれ形成されている。なお、２つの袋端部１０１ａをそれぞれ構成する２つのシート材は、射出成形などの加工方法を用いて袋端部１０１ａを構成する部分と連結具１０２とを一体的に成形することもできる。また、図３においては、外装袋体１０１はウレタン樹脂原料を注入する前は萎んだ状態であるが、理解を容易にするため敢えて拡げた状態（膨らんだ状態）で示している。また、図１および図３においては、外装袋体１０１を構成する各シート材を個別に示さず一体的に示している。
【００３３】
次に、作業者は、第２工程として、外装袋体１０１内にウレタン樹脂原料を注入してフェンダ本体１１０を成形する。具体的には、作業者は、図示しないウレタン注入装置を用いて外装袋体１０１内に液体状のウレタン樹脂原料を注入する。この場合、ウレタン注入装置は、外装袋体１０１における２つの注入口１０３から液体状のウレタン樹脂原料を注入する。これにより、外装袋体１０１は、ウレタン樹脂原料の注入とともに内部の空気が２つの排気口１０４を通して外装袋体１０１内から抜ける。なお、図３においては、ウレタン樹脂原料の外装袋体１０１内への注入および空気の外装袋体１０１内からの排出を破線矢印でそれぞれ示している。
【００３４】
外装袋体１０１内に注入された液体状のウレタン樹脂原料は、外装袋体１０１を内側から押し広げながら充填されて直ちに硬化を開始する。これにより、外装袋体１０１内に注入されたウレタン樹脂原料は、外装袋体１０１の内部領域の大きさおよび形状に対応した大きさおよび形状に発泡し硬化した半硬質のウレタン発泡体となってフェンダ本体１１０を構成する。この第２工程におけるフェンダ本体１１０を成形する工程がフェンダ本体成形工程に相当する。
【００３５】
なお、この第２工程は、第１工程を終えた後、直ちに行う必要はない。すなわち、作業者は、外装袋体１０１とウレタン樹脂原料とをそれぞれ別々に用意して保管しておき、防舷材１００が必要になった際に第２工程以降を実行して防舷材１００を完成させることもできる。この場合、作業者は、ウレタン樹脂原料を例えばバケツやボトルなどの容器に用意するとともに、外装袋体１０１における注入口１０３から直接または漏斗などを介して外装袋体１０１内に注入することができる。すなわち、本考案に係る防舷材１００は、防舷材１００を使用するときに使用する現地で半製品から完成させることができる。
【００３６】
次に、作業者は、第３工程として、注入口１０３および排気口１０４をそれぞれ蓋１０５によって塞ぐ。具体的には、作業者は、蓋１０５を用意した後、図示しない接着剤を用いて蓋１０５を外装袋体１０１における各２つずつの注入口１０３および排気口１０４に貼り付けてこれらの注入口１０３および排気口１０４をそれぞれ塞ぐ。これにより、外装袋体１０１内にフェンダ本体１１０が設けられた防舷材１００が完成する。
【００３７】
（防舷材１００の作動）
次に、上記のように構成した防舷材１００の作動について説明する。防舷材１００を使用する使用者は、防舷材１００を用意して船体や岸壁に設置する。具体的には、使用者は、防舷材１００の両端部に設けられた各連結具１０２にロープ（不図示）を通して防舷材１００を船体や岸壁に取り付ける。そして、この防舷材１００は、船体と船体との間や船体と岸壁との間に介在して緩衝材として機能することで船体の損傷を防止する。
【００３８】
この場合、防舷材１００は、外装袋体１０１が柔軟なシート材で構成されるとともにフェンダ本体１１０が半硬質のウレタン発泡体で構成されているため、船体や岸壁からの圧迫に対して柔軟に弾性変形しながら圧力を吸収するとともに、圧迫が開放された場合には速やかに元の形状に復元する。また、外装袋体１０１は、フェンダ本体１１０の船体や岸壁への擦れのほか、日光、風雪または水分（海水、雨水など）からフェンダ本体１１０を保護する。なお、外装袋体１０１が損傷した場合には、使用者は、樹脂製や布製のシート材を損傷部分に宛がって補修することができる。
【００３９】
上記作動説明からも理解できるように、上記実施形態によれば、防舷材１００は、塩化ビニル樹脂製のシート材を袋状に形成した外装袋体１０１内に半硬質のウレタン発泡体で構成されたフェンダ本体１１０を収容しているため、外装袋体１０１を設置環境に応じた形状に形成しておくことで広範な場所に防舷材１００を設置することができる。この場合、防舷材１００は、外装袋体１０１が袋状に形成されて実質的にフェンダ本体１１０全体を包んでいるため、フェンダ本体１１０の外装袋体１０１からの漏出を防止することができるとともに、フェンダ本体１１０の擦れによる損傷やフェンダ本体１１０の水辺での使用による劣化を抑制できる。また、防舷材１００は、外装袋体１０１がシート材によって構成されるとともにフェンダ本体１１０が半硬質のウレタン発泡体で構成されているため、比較的自由に弾性変形させることができ、広範は場所に設置することができる。
【００４０】
さらに、防舷材１００は、外装袋体１０１がシート材によって袋状に形成されるとともにフェンダ本体１１０がウレタン発泡体で構成されているため、防舷材１００が必要な場所で必要な時に製作することができる。すなわち、防舷材１００の使用者は、外装袋体１０１とウレタン樹脂原料とをそれぞれ別々に用意しておき、必要に応じて外装袋体１０１内にウレタン樹脂原料を注入することによって防舷材１００を製作することができる。このため、防舷材１００は、輸送や保管を簡易にすることができる。
【００４１】
さらに、本考案の実施にあたっては、上記実施形態に限定されるものではなく、本考案の目的を逸脱しない限りにおいて種々の変更が可能である。なお、下記各変形例において、上記実施形態と同様の構成部分については同じ符号を付して、その説明を省略する。
【００４２】
例えば、上記実施形態においては、外装袋体１０１は１枚のシート材で構成した。しかし、外装袋体１０１は、塩化ビニル樹脂製のシート材で柔軟に変形可能な袋状に構成されていればよく、必ずしも上記実施形態に限定されるものではない。すなわち、外装袋体１０１は、２枚のシート材塩化ビニル樹脂製のシート材を重ねて構成することができる。また、外装袋体１０１を構成するシート材は、厚さは１ｍｍ以上かつ５ｍｍ以下が好ましいが１ｍｍ以上かつ３ｍｍ以下がより好ましいとともに、塩化ビニル樹脂のみで構成されていてもよいし、繊維に塩化ビニル樹脂を含浸したもので構成することもできる。
【００４３】
また、上記実施形態においては、外装袋体１０１における注入口１０３および排気口１０４をそれぞれ蓋１０５で塞いで構成した。しかし、外装袋体１０１は、蓋１０５を省略して外装袋体１０１の内外で通気性を確保した状態で構成することもできる。この場合、上記防舷材１００の製造工程における第３工程による注入口１０３および排気口１０４への蓋１０５の貼付による閉塞工程は不要となる。これによれば、防舷材１００は、フェンダ本体１１０が圧縮変形し易くなるとともに圧縮変形後においても速やかに元の形状に復帰することができ、フェンダ本体１１０自身の損傷を防止して耐久性を向上させることができるとともに使用用途を広げることができる。なお、外装袋体１０１の通気性の確保は、注入口１０３および排気口１０４のうちの少なくとも一方において確保されていればよい。また、外装袋体１０１は、注入口１０３および排気口１０４が複数形成されている場合には、これらの各孔の少なくとも１つにおいて通気性が確保されていればよい。
【００４４】
また、注入口１０３および／または排気口１０４によって外装袋体１０１の通気性を確保する場合、例えば、図５に示すように、注入口１０３および排気口１０４をフェンダ本体１１０、すなわち、連続気泡構造のウレタン発泡体の一部によって塞ぐことができる。これによれば、防舷材１００は、ウレタン発泡体の通気性を確保しながら外装袋体への異物や水分（海水や雨水）の浸入を簡単に防止することができる。
【００４５】
また、上記実施形態においては、フェンダ本体１１０は、半硬質ウレタン発泡体で構成した。しかし、フェンダ本体１１０は、弾性変形可能な（変形した後元の形状に復元可能）なウレタン樹脂で構成されてれいばよい。したがって、フェンダ本体１１０は、軟質のウレタン発泡体で構成することもできる。この場合、軟質ウレタン発泡体は、発泡倍率が５倍以上かつ６０倍以下、または密度が１７ｋｇ／ｍ３以上かつ３００ｋｇ／ｍ３以下で構成されていることが好ましい。また、本考案における半硬質ウレタン発泡体は、発泡倍率が１０倍以上かつ３０倍以下、または密度が４０ｋｇ／ｍ３以上かつ８０ｋｇ／ｍ３以下で構成されていることが好ましい。また、フェンダ本体１１０を構成する軟質または半硬質のウレタン発泡体は、内部が連続気泡構造であることが望ましいが、弾性変形可能であれば独立気泡構造であってもよい。
【００４６】
また、上記実施形態においては、防舷材１００は、丸棒状に延びる形状で構成した。しかし、防舷材１００の形状や大きさは、防舷材１００の仕様によって適宜決定されるものである。したがって、防舷材１００は、丸棒以外の形状、例えば、球状、ナツメ型または樽型状に形成することもできる。
【００４７】
例えば、防舷材１００は、図６に示すように、ドロップ（雨滴）状に形成することができる。この場合、防舷材１００は、外装袋体１０１がドロップ状に形成されるとともに、ドロップ状に形成された外装袋体１０１における図示上端部に連結具１０２が設けられている。また、防舷材１００は、外装袋体１０１における袋端部１０１ａにそれぞれ１つずつの注入口１０３および排気口１０４がそれぞれ形成されている。なお、図６においては、注入口１０３は、蓋１０５の下に隠れて図示されていない。
【００４８】
また、上記実施形態においては、防舷材１００は、外装袋体１０１の両端部にそれぞれ連結具１０２を設けて構成した。しかし、防舷材１００は、防舷材１００を船体や岸壁などに取り付けることができるように構成されていればよく、必ずしも連結具１０２を備える必要はない。したがって、防舷材１００は、例えば、図７に示すように、外装袋体１０１の両端部の一方にロープ１０６をスリーブ１０７を介して貫通させて構成することができる。この場合、ロープ１０６は、外装袋体１０１内で結び目を設けておくことで外装袋体１０１から抜けを簡単に防止することができるとともに、液状のウレタン樹脂原料の固化によってフェンダ本体１１０と一体化させることによっても外装袋体１０１から抜けを防止することができる。
【００４９】
また、スリーブ１０７は、外装袋体１０１をロープ１０６から保護するための部品であり、樹脂材を外装袋体１０１に形成した貫通孔に嵌合する外径でかつロープ１０６が貫通可能な内径の筒状に形成して構成されている。この場合、スリーブ１０７は、ロープ１０６との間で液体状のウレタン樹脂原料が漏れない程度の内径に設定されるが、ロープ１０６との間に布や軟質ウレタン樹脂などの弾性体（図示せず）を詰めることによって液体状のウレタン樹脂原料の漏れおよびロープ１０６の擦れをそれぞれ防止することができる。なお、図７においては、ロープ１０６の他方の端部側の図示を省略している。
【符号の説明】
【００５０】
１００…防舷材、
１０１…外装袋体、１０１ａ…袋端部、１０２…連結具、１０２ａ…貫通孔、１０３…注入口、１０４…排気口、１０５…蓋、１０６…ロープ、１０７…スリーブ、
１１０…フェンダ本体。
【図１】
0003214841.tif 000003
【図２】
0003214841.tif 000004
【図３】
0003214841.tif 000005
【図４】
0003214841.tif 000006
【図５】
0003214841.tif 000007
【図６】
0003214841.tif 000008
【図７】
0003214841.tif 000009